(57)【要約】【課題】  操作時に引っかかることなく、スムーズに操作可能な押しボタンを提供すること。【解決手段】  本発明の押しボタンは、ボタン本体１と、パネル本体２と、を有する押しボタンであって、筒状保持部２２の内周面の一部と一部に対向した筒状部１０の外周面の部分よりなる一対の対向面部の少なくとも一方には、他方の対向面部方向に突出したリブ２５を有し、他方の対向面部にはリブ２５が挿入されるガイド溝１１を有することを特徴とする。本発明の押しボタンは、ボタン本体の移動がリブとガイド溝により規制されていることから、ボタン本体とパネル本体との干渉が生じなくなっており、スムーズな操作が可能となっている。【選択図】  図３
2005044673.tif 000002
【特許請求の範囲】
【請求項１】
略筒状の筒状部と、該筒状部の一方の端部側にもうけられた押圧面を形成する押圧部と、を有するボタン本体と、
該押圧面と略平行な表面を形成する本体部と、該ボタン本体を該筒状部の軸方向に往復動可能な状態で該ボタン本体を収容する該本体部の裏面方向に突出した筒状保持部と、を有するパネル本体と、
を有する押しボタンであって、
該筒状保持部の内周面の一部と該一部に対向した該筒状部の外周面の部分よりなる一対の対向面部の少なくとも一方には、他方の対向面部方向に突出したリブを有し、該他方の該対向面部には該リブが挿入されるガイド溝を有することを特徴とする押しボタン。
【請求項２】
前記ガイド溝は、前記ボタン本体の筒状部の軸方向にのびた状態で形成されている請求項１記載の押しボタン。
【請求項３】
前記ガイド溝は、前記対向面部に形成された切れ込みよりなる請求項１記載の押しボタン。
【請求項４】
前記ガイド溝の前記押圧部側あるいは前記本体部側の端部は、テーパ状に形成されている請求項１記載の押しボタン。
【請求項５】
前記リブは、前記ガイド溝の形成された前記対向面部に離反する方向に弾性変形可能なツメ部に形成された請求項１記載の押しボタン。
【請求項６】
前記ガイド溝および前記リブが複数もうけられている請求項１記載の押しボタン。
【請求項７】
前記パネル本体の裏面の小間隔を隔てた位置に、スイッチがもうけられた回路基板が配置され、
該スイッチが、前記ボタン本体を該回路基板から離反する方向に付勢する付勢手段を有する請求項１記載の押しボタン。
【請求項８】
前記ボタン本体の前記押圧面と、前記パネル本体の前記本体部の表面とが略同一平面を形成した請求項１記載の押しボタン。
【請求項９】
前記筒状部の周方向の外周形状および前記筒状保持部の周方向の内周形状が略正方形であり、該略正方形の一辺の中央部に前記リブあるいは前記ガイド溝が形成された請求項１記載の押しボタン。
【発明の詳細な説明】
【技術分野】
【０００１】
本発明は、押しボタンに関し、詳しくは、スムーズに押すことが可能な押しボタンに関する。
【背景技術】
【０００２】
さまざまな装置の動作の制御は、回路基板上に組み付けられたスイッチによりなされている。そして、このような装置は回路基板がケース内に収容されており、回路基板上にもうけられたスイッチも、ケースにもうけられた押しボタン等の操作手段により操作されている。
【０００３】
たとえば、特許文献１にこのような構造の押しボタンが開示されている。
【０００４】
特許文献１には、表示部のパネル構体の開口部にスイッチ用押し釦の操作部が挿入され弾性材部で支持される構成を有する表示装置において、上記押し釦が上記操作部の後方側にテーパ状構造体を有し、上記パネル構体が上記開口部の後方側の開口周辺部に傾斜部を有し、上記弾性部の復元力で該テーパ状構造部が該傾斜部に押し付けられる構成を特徴とする表示装置が開示されている。
【０００５】
特許文献１に開示された押しボタンは、パネル構体（外装パネル）の周辺部の傾斜面と押しボタンのテーパ状構造部の傾斜面とを密着させることで、押しボタン高い精度で位置決めしている。
【０００６】
しかしながら、このような押しボタンは、押しボタンが傾斜して押圧されると、パネル構体の開口部の内周面と押しボタンの外周面部とが干渉して、押しボタンが押圧時に途中で引っかかり、スムーズに動作しなくなるという問題があった。
【特許文献１】特開２０００−３０６４６０号公報
【発明の開示】
【発明が解決しようとする課題】
【０００７】
本発明は上記実状に鑑みてなされたものであり、スムーズに操作可能な押しボタンを提供することを課題とする。
【課題を解決するための手段】
【０００８】
上記課題を解決するために本発明者らはボタン本体とパネル本体とから構成される押しボタンについて検討を重ねた結果、リブとガイド溝とを摺動する体腔面部にもうけることで上記課題を解決できることを見出した。
【０００９】
すなわち、本発明の押しボタンは、略筒状の筒状部と、筒状部の一方の端部側にもうけられた押圧面を形成する押圧部と、を有するボタン本体と、押圧面と略平行な表面を形成する本体部と、ボタン本体を筒状部の軸方向に往復動可能な状態で収容する本体部の裏面方向に突出した筒状保持部と、を有するパネル本体と、を有する押しボタンであって、筒状保持部の内周面の一部と一部に対向した筒状部の外周面の部分よりなる一対の対向面部の少なくとも一方には、他方の対向面部方向に突出したリブを有し、他方の対向面部にはリブが挿入されるガイド溝を有することを特徴とする。
【００１０】
本発明の押しボタンは、ボタン本体の移動がリブとガイド溝により規制されていることから、ボタン本体とパネル本体との干渉が生じなくなっている。この結果、スムーズな操作が可能となっている。
【発明の効果】
【００１１】
本発明の押しボタンは、ガイド溝に挿入されたリブにより、ボタン本体のパネル本体に対する位置決めがなされている。さらに、ガイド溝にリブが挿入されたことにより、ボタン本体の移動がガイド溝に沿った方向に規制されている。ボタン本体がガイド溝ののびる方向に対して傾斜した方向に押圧されても、リブがガイド溝の壁面と摺動しながら移動し、押しボタンがガイド溝ののびる方向に移動する。すなわち、ボタン本体とパネル本体との緩衝が生じなくなっている。この結果、本発明の押しボタンは、スムーズな操作が可能となっている。
【発明を実施するための最良の形態】
【００１２】
本発明の押しボタンは、ボタン本体と、パネル本体と、を有する。
【００１３】
ボタン本体は、略筒状の筒状部と、筒状部の一方の端部側にもうけられた押圧面を形成する押圧部と、を有する。また、パネル本体は、押圧面と略平行な表面を形成する本体部と、ボタン本体を筒状部の軸方向に往復動可能な状態で収容する本体部の裏面方向に突出した筒状保持部と、を有する。
【００１４】
本発明の押しボタンは、筒状保持部の内周面の一部と一部に対向した筒状部の外周面の部分よりなる一対の対向面部の少なくとも一方には、他方の対向面部方向に突出したリブを有し、他方の対向面部にはリブが挿入されるガイド溝を有する。
【００１５】
一対の対向面部は、筒状保持部の内周面と筒状部の外周面とが対向した部分よりなる。そして、この対向面部の少なくとも一方にリブが、他方にガイド溝が形成されることで、リブがガイド溝に挿入される。リブがガイド溝に挿入されると、リブの移動はガイド溝ののびる方向のみに規制される。この結果、ボタン本体の移動方向がリブののびる方向に規制されることとなり、それ以外の方向への移動が生じなくなる。
【００１６】
ガイド溝は、その内部に挿入されたリブをガイド溝ののびる方向に案内するものであることから、ボタン本体の筒状部の軸方向にのびた状態で形成されていることが好ましい。ガイド溝が筒状部の軸方向に形成されることで、ボタン本体の押圧部が押されたときに、ボタン本体はパネル本体の筒状保持部との干渉が生じなくなる。
【００１７】
本発明の押しボタンにおいては、ボタン本体およびパネル本体のいずれにリブが形成されていてもよい。すなわち、ボタン本体の対向面部にリブが形成されパネル本体の対向面部にガイド溝が形成されていても、ボタン本体の対向面部にガイド溝が形成されパネル本体の対向面部にリブが形成されていてもよい。
【００１８】
本発明の押しボタンにおいて、リブの形状は特に限定されるものではない。すなわち、リブは、ガイド溝に挿入された状態で、ガイド溝に沿って移動可能な形状であればよい。たとえば、突出した略板状であっても、略棒状であってもよい。
【００１９】
本発明の押しボタンにおいて、ガイド溝の断面形状は特に限定されるものではない。すなわち、ガイド溝は、対向面部を断面凹字状に形成したものであっても、対向面部に形成された切れ込みであってもどちらでもよい。形成が容易なことから、ガイド溝は、対向面部に形成された切れ込みよりなることが好ましい。
【００２０】
ガイド溝の押圧部側あるいは本体部側の端部は、テーパ状に形成されていることが好ましい。押圧部側あるいは本体部側の端部とは、ガイド溝がボタン本体に形成された場合には押圧部側の端部を示し、ガイド溝がパネル本体に形成された場合には本体部側の端部を示す。また、テーパ状とは、端部側に進むにしたがってガイド溝の幅が広くなっている形状を示す。ガイド溝の端部がテーパ状に形成されることで、ボタン本体が軸方向と傾斜した方向へ押されたとしても、テーパ面がリブをガイド溝へ案内することとなる。この結果、押しボタンのスムーズな操作が可能となる。
【００２１】
リブは、ガイド溝の形成された対向面部に離反する方向に弾性変形可能なツメ部に形成されたことが好ましい。リブがツメ部に形成されることで、ボタン本体の筒状部をパネル本体の筒状保持部に挿入すると、ツメ部が径方向に弾性変形を生じる。そして、さらに筒状部を筒状保持部に挿入することで、リブの先端部がガイド溝の内部に挿入されるようになる。すなわち、リブがツメ部に形成されたことでボタン本体の取り付け時にリブが筒状保持部あるいは筒状部に押圧されてツメ部が弾性変形を生じる。この結果、ボタン本体の取り付けが容易に行われるようになる。
【００２２】
ガイド溝およびリブが複数もうけられていることが好ましい。すなわち、複数箇所にガイド溝とリブが形成されることで、複数箇所で筒状部の位置決めを行うこととなり、ボタン本体の位置決めの精度が向上する。
【００２３】
ガイド溝およびリブの数は、限定されないが、周方向に対称となる数であることが好ましい。好ましくは、９０°で対称となる４カ所にリブおよびガイド溝が形成されたことが好ましい。
【００２４】
また、ガイド溝およびリブが複数もうけられたときには、ボタン本体とパネル本体の一方にガイド溝およびリブの一方の全てを、ボタン本体とパネル本体の他方にガイド溝およびリブの他方の全てを、形成してもよい。また、ボタン本体とパネル本体のそれぞれにガイド溝とリブの両方が形成してもよい。具体的には、ガイド溝およびリブが２カ所に形成されたときには、ボタン本体の筒状部には、２つのリブ、２つのガイド溝、１つのリブと１つのガイド溝、のいずれでもよい。
【００２５】
パネル本体の裏面の小間隔を隔てた位置に、スイッチがもうけられた回路基板が配置され、スイッチが、ボタン本体を回路基板から離反する方向に付勢する付勢手段を有することが好ましい。回路基板は、本発明の押しボタンにより切り替えられる電気回路が形成された回路基板であり、スイッチは電気回路中にもうけられたスイッチである。また、スイッチが付勢手段を有することで、本発明の押しボタンのボタン本体は、押圧部が押されていない状態に保持される。
【００２６】
ボタン本体の押圧面と、パネル本体の本体部の表面とが略同一平面を形成したことが好ましい。押圧面と表面とが略同一平面を形成することで、パネル本体の表面からボタン本体が突出しなくなる。その結果、本発明の押しボタンの美観が向上する。
【００２７】
本発明の押しボタンにおいて、筒状部の外周形状および筒状保持部の内周形状は、特に限定されない。ここで、それぞれの形状は、軸方向に垂直な断面における形状を示す。たとえば、円形、楕円形、方形等の形状をあげることができる。好ましい形状は、その形状自身が周方向へのズレを生じさせない方形である。
【００２８】
本発明の押しボタンにおいて、ガイド溝の長さ、リブの突出高さ等の条件は、特に限定されない。また、本発明の押しボタンを構成するボタン本体およびパネル本体の材質についても特に限定されるものではない。
【実施例】
【００２９】
以下、実施例を用いて本発明を説明する。
【００３０】
本発明の実施例として、押しボタンを製造した。
【００３１】
（実施例１）
本実施例は、図１〜４にその構成を示した押しボタンである。図１はボタン本体の斜視図であり、図２はパネル本体の断面図である。また、図３および図４は、実施例の押しボタンの操作時の断面図である。
【００３２】
本実施例の押しボタンは、ボタン本体１と、パネル本体２と、を有する。ボタン本体１は、断面略正方形状の筒状の筒状部１０と、筒状部１０の一方の端部に一体にもうけられた押圧面を形成する略正方形状の板材よりなる押圧部１５と、からなる。パネル本体２は、ボタン本体１の押圧面１５と略平行な表面を形成する本体部２０と、ボタン本体１を筒状部１０の軸方向に往復動可能な状態で、ボタン本体１を収容する本体部２０の裏面方向に突出した筒状保持部２２と、からなる。
【００３３】
ボタン本体１の筒状部１０には、切れ込みよりなるガイド溝１１が形成されている。ガイド溝１１は、筒状部１０の断面略正方形の各辺の中央部に筒状部１０ののびる方向に形成されている。ガイド溝１１は、筒状部１０の押圧部１５との当接端部から軸方向の中央部近傍までの長さで形成されている。さらに、ガイド溝１１は、押圧部１５との当接端部の近傍においては、当接端部に近づくにしたがってその幅が広くなるテーパ形状に形成されている。
【００３４】
ボタン本体１の板状の押圧部１５は、筒状部１０の断面における外周形状より大きな外周形状となるように形成されている。
【００３５】
パネル本体２の筒状保持部２２は、パネル本体２０の表面に開口部２３が形成されている。筒状保持部２２は、その断面がボタン本体１の筒状部１０の外周よりもわずかに大きな略正方形状となるように形成されている。そして、筒状保持部２２の開口部２３近傍は、ボタン本体１の押圧部１５の外周形状よりもわずかに大きな略正方形状となるように形成されている。
【００３６】
そして、筒状保持部２２の内径の小さい部分の開口部２３側の端部２４に、径方向内方に突出したリブ２５が形成されている。このリブ２５は、筒状保持部２２の略正方形状の内周形状において各辺の中央部にもうけられている。また、リブ２５は、開口部２３側から奥に進むにしたがって、径方向内方への突出量が大きくなるテーパ形状を有している。
【００３７】
リブ２５は、筒状保持部２２の壁面に形成された開口部２３側が凸の略Ｕ字状の切れ込みにより区画されたツメ部２６上に形成されている。このツメ部２６は筒状保持部２２の径方向に弾性変形可能な状態で形成されている。
【００３８】
本実施例の押しボタンは、ボタン本体１をパネル本体２の筒状保持部２２に挿入することで、組み付けられる。ボタン本体１をパネル本体２の筒状保持部２２に挿入すると、まず、筒状部１０の先端部がリブ２５のテーパ面と当接する。さらに、ボタン本体１を押し込むと、リブ２５のテーパ形状の作用により、リブ２５を介してツメ部２６が径方向外方に押圧され、ツメ部２６が外方に弾性変形する。ツメ部２６の弾性変形により、筒状保持部２２の内部に筒状部１０が挿入される空間が発生し、ボタン本体１がさらに奥に押し込まれる。ボタン本体１が奥に押し込まれていくと、リブ２５がガイド溝１１の内部に挿入される。リブ２５がガイド溝１１内に挿入されると、ツメ部２６の弾性変形が解消され、ツメ部２６の内周面が筒状保持部２２の内周面と一致するようになる。ガイド溝１１に挿入されたリブ２５は、ガイド溝１１ののびる方向に往復動可能な状態となる。
【００３９】
本実施例の押しボタンは、図３および４に示されたように、回路基板３上に形成されたスイッチ４を切り替えることに用いられる。このスイッチ４には、ボタン本体１を、回路基板３から離反する方向に付勢する付勢手段（図示せず）がもうけられており、ボタン本体１の押圧部１５の表面がパネル本体２の本体部２０の表面と略一致する状態に保持されている。ここで、付勢手段には、たとえば、スプリングが用いられている。
【００４０】
本実施例の押しボタンは、操作されていないときには、ボタン本体１の押圧部１５の表面がパネル本体２の本体部２０の表面と略一致する状態に保持されている。この状態においては、リブ２５は、ガイド溝１１の端部側に位置している。そして、リブ２５がガイド溝１１の回路基板３側の端部に位置することで、付勢手段に付勢されたボタン本体１がパネル本体２の表面から突出することが抑えられている。
【００４１】
つづいて、スイッチ４を切り替えるためにボタン本体１の押圧部１５を押圧する。ボタン本体１がパネル本体２の筒状保持部２２の内部に押し込まれる。このとき、ガイド溝１１がリブ２５に案内される。この案内により、ボタン本体１の移動は、筒状部１０の軸方向に規制される。すなわち、ボタン本体１が傾かなくなり、スムーズに押しボタン１を押すことが可能となる。
【００４２】
ボタン本体１がさらに押されると、リブ２５がガイド溝１１の押圧部１５側の端部に当接し、ボタン本体１がそれ以上押し込まれることを規制する。このとき、ボタン本体１がスイッチ４を切り替える。また、リブ２５がガイド溝１１の端部にあたるときには、筒状保持部２２の内径の小さい部分の開口部２３側の端部２４に押圧部１５が当接し、ボタン本体１を規制する。
【００４３】
その後、押圧部１５に加えられた力を取り除く（押圧部を押した指を取り外す）と、スイッチ４の付勢手段により、ボタン本体１が元の位置に移動する。このとき、ガイド溝１１に挿入されたガイド溝１１の作用により、ボタン本体１は、軸方向に移動する。さらに、押圧部１５に力が加わらなくなった状態でボタン本体１が傾斜したとしても、ガイド溝１１のテーパ形状の作用によりボタン本体１が軸方向に移動するようになる。
【００４４】
以上の動作の説明において説明したように、本実施例の押しボタンは、スムーズな動作が可能となっている。また、本実施例の押しボタンは、リブとガイド溝とにより位置決めが行われることから、高い精度で位置決めを行うことができる効果を有している。
【００４５】
（実施例２）
本実施例は、図５〜６にその構成を示したボタン本体とパネル本体とから構成される押しボタンである。
【００４６】
本実施例の押しボタンは、ボタン本体１と、パネル本体２と、を有する。ボタン本体１は、断面略正方形状の筒状の筒状部１０と、筒状部１０の一方の端部に一体にもうけられた押圧面を形成する略正方形状の板材よりなる押圧部１５と、からなる。パネル本体２は、ボタン本体１の押圧部１５の表面と略平行な表面を形成する本体部２０と、ボタン本体１を筒状部１０の軸方向に往復動可能な状態で、ボタン本体１を収容する本体部２０の裏面方向に突出した筒状保持部２２と、からなる。
【００４７】
ボタン本体１の筒状部１０には、切れ込みよりなるガイド溝１１が形成されている。ガイド溝１１は、筒状部１０の断面略正方形の各辺の中央部に筒状部１０ののびる方向に形成されている。ガイド溝１１は、筒状部１０の押圧部１５との当接端部から軸方向の中央部近傍までの長さで形成されている。さらに、ガイド溝１１は、押圧部１５との当接端部の近傍においては、当接端部に近づくにしたがってその幅が広くなるテーパ形状に形成されている。
【００４８】
ボタン本体１の板状の押圧部１５は、筒状部１０の断面における外周形状より小さな外周形状となるように形成されている。
【００４９】
パネル本体２の筒状保持部２２は、パネル本体２０の表面に開口部２３が形成されている。筒状保持部２２は、その断面がボタン本体１の筒状部１０の外周よりもわずかに大きな略正方形状となるように形成されている。そして、筒状保持部２２の開口部２３近傍は、ボタン本体１の押圧部１５の外周形状よりもわずかに大きな略正方形状となるように形成されている。
【００５０】
そして、筒状保持部２２の内径の大きい部分の開口部２３側の端部２４に、径方向内方に突出したリブ２５が形成されている。このリブ２５は、筒状保持部２２の略正方形状の内周形状において各辺の中央部にもうけられている。また、リブ２５は、開口部２３側から奥に進むにしたがって、径方向内方への突出量が小さくなるテーパ形状を有している。
【００５１】
リブ２５は、筒状保持部２２の壁面に形成された開口部２３側が凸の略Ｕ字状の切れ込みにより区画されたツメ部２６上に形成されている。このツメ部２６は筒状保持部２２の径方向に弾性変形可能な状態で形成されている。
【００５２】
本実施例の押しボタンは、ボタン本体１をパネル本体２の筒状保持部２２に開口部２３の反対の開口部から挿入して組み付けられる。
【００５３】
本実施例の押しボタンは、リブとガイド溝の作用により、組み付け時や操作時に実施例１と同様な効果を発揮する。
【００５４】
（実施例３）
本実施例は、図７〜８にその構成を示したボタン本体とパネル本体とからなる押しボタンである。
【００５５】
本実施例の押しボタンは、ボタン本体１と、パネル本体２と、を有する。ボタン本体１は、断面略正方形状の筒状の筒状部１０と、筒状部１０の一方の端部に一体にもうけられた押圧面を形成する略正方形状の板材よりなる押圧部１５と、からなる。パネル本体２は、ボタン本体１の押圧面１５と略平行な表面を形成する本体部２０と、ボタン本体１を筒状部１０の軸方向に往復動可能な状態で、ボタン本体１を収容する本体部２０の裏面方向に突出した筒状保持部２２と、からなる。
【００５６】
ボタン本体１の筒状部１０には、断面略正方形状の背向した二つの表面に切れ込みよりなるガイド溝１１が形成されている。ガイド溝１１は、筒状部１０の断面略正方形の各辺の中央部に筒状部１０ののびる方向に形成されている。ガイド溝１１は、筒状部１０の押圧部１５との当接端部から軸方向の中央部近傍までの長さで形成されている。さらに、ガイド溝１１は、押圧部１５との当接端部の近傍においては、当接端部に近づくにしたがってその幅が広くなるテーパ形状に形成されている。
【００５７】
また、ボタン本体１の断面略正方形状のガイド溝１１が形成されていない二つの背向した表面には、径方向外方に突出したリブ１２がもうけられている。リブ１２は、筒状部１０の略正方形状の外周形状において各辺の中央部にもうけられている。また、リブ１２は、押圧部１５側から奥に進むにしたがって、径方向外方への突出量が小さくなるテーパ形状を有している。
【００５８】
リブ１２は、筒状部１０の壁面に形成された押圧部１５側が凸の略Ｕ字状の切れ込みにより区画されたツメ部１３上に形成されている。このツメ部１３は筒状部１０の径方向に弾性変形可能な状態で形成されている。
【００５９】
ボタン本体１の板状の押圧部１５は、筒状部１０の断面における外周形状より小さな外周形状となるように形成されている。
【００６０】
パネル本体２の筒状保持部２２は、パネル本体２０の表面に開口部２３が形成されている。筒状保持部２２は、その断面がボタン本体１の筒状部１０の外周よりもわずかに大きな略正方形状となるように形成されている。そして、筒状保持部２２の開口部２３近傍は、ボタン本体１の押圧部１５の外周形状よりもわずかに大きな略正方形状となるように形成されている。
【００６１】
そして、筒状保持部２２の略正方形状の内周形状における対向した二つの辺部であって、筒状保持部２２の内径の大きい部分の開口部２３側の端部２４に、径方向内方に突出したリブ２５が形成されている。このリブ２５は、筒状保持部２２の略正方形状の内周形状において各辺の中央部にもうけられている。また、リブ２５は、開口部２３側から奥に進むにしたがって、径方向内方への突出量が大きくなるテーパ形状を有している。
【００６２】
リブ２５は、筒状保持部２２の壁面に形成された開口部２３側が凸の略Ｕ字状の切れ込みにより区画されたツメ部２６上に形成されている。このツメ部２６は筒状保持部２２の径方向に弾性変形可能な状態で形成されている。
【００６３】
また、筒状保持部２２の略正方形状の内周形状における対向した二つの辺部であって、リブ２５が形成されていない辺部には、切れ込みよりなるガイド溝２７が形成されている。ガイド溝２７は、筒状保持部２２の断面略正方形の各辺の中央部に筒状保持部２２ののびる方向に形成されている。ガイド溝２７は、パネル本体２の開口部２３との当接端部から軸方向の中央部近傍までの長さで形成されている。
【００６４】
本実施例の押しボタンは、ボタン本体１をパネル本体２の筒状保持部２２に開口部２３の反対側から挿入して組み付けられる。このボタン本体１の組付けは、筒状部１０のリブ１２が筒状保持部２２のガイド溝１７に、筒状保持部２２のリブ２５が筒状部１０のガイド溝１１に挿入される向きでなされる。
【００６５】
本実施例の押しボタンは、リブとガイド溝の作用により、組み付け時や操作時に実施例１と同様な効果を発揮する。さらに、本実施例は、パネル本体に組み付けられるボタン本体の向きを向きも決定できる。
【図面の簡単な説明】
【００６６】
【図１】実施例１のボタン本体を示した図である。
【図２】実施例１のパネル本体を示した図である。
【図３】実施例１の押しボタンの構成を示した図である。
【図４】実施例１の押しボタンにおいてボタン本体が押された状態の構成を示した図である。
【図５】実施例２のボタン本体を示した図である。
【図６】実施例２のパネル本体を示した図である。
【図７】実施例３のボタン本体を示した図である。
【図８】実施例３のパネル本体を示した図である。
【符号の説明】
【００６７】
１…ボタン本体              １０…筒状部
１１…ガイド溝              １２…リブ
１３…ツメ部                １５…押圧部
２…パネル本体              ２０…本体部
２２…筒状保持部            ２３…開口部
２４…内径の小さい部分の開口部側の端部
２５…リブ                  ２６…ツメ部
２７…ガイド溝
３…回路基板
４…スイッチ
【図１】
2005044673.tif 000003
【図２】
2005044673.tif 000004
【図３】
2005044673.tif 000005
【図４】
2005044673.tif 000006
【図５】
2005044673.tif 000007
【図６】
2005044673.tif 000008
【図７】
2005044673.tif 000009
【図８】
2005044673.tif 000010